(57)【要約】【課題】  海洋センサを取り付ける補強ケーブルの長さ調整を簡易かつ正確に実行できるようにした海洋観測ブイを提供する。【解決手段】  海洋センサ２を支持する補強ケーブルに海洋センサ２を取り付ける場合に、その補強ケーブル６を海洋センサ２に設けた補強ケーブル巻き付け部に巻き付けるだけで、海洋センサ２を取り付けることができる。また、その補強ケーブル巻き付け部を操作するだけで補強ケーブルの長さを簡単に調整することができる。【選択図】        図２
2006117137.tif 000002
【特許請求の範囲】
【請求項１】
水中を観測するための海洋センサと、
前記海洋センサを取り付けて水中に吊り下げる複数のケーブルからなるアレイケーブルとを備えた海洋観測ブイであって、
前記アレイケーブルは前記海洋センサで観測された情報を伝達するための信号ケーブルと前記海洋センサを支持するための補強ケーブルとを備えたものにおいて、
前記補強ケーブルを巻き付ける補強ケーブル巻き付け部を前記海洋センサに設けた
ことを特徴とする海洋観測ブイ。
【請求項２】
前記補強ケーブル巻き付け部を前記海洋センサの基板に形成した突起部で構成する
ことを特徴とする請求項１に記載の海洋観測ブイ。
【請求項３】
前記突起部を複数備え、前記突起部間で前記補強ケーブルを巻き回す
ことを特徴とする請求項２に記載の海洋観測ブイ。
【請求項４】
前記補強ケーブル巻き付け部を前記海洋観測ブイの基板に取り付けたポールで構成する
ことを特徴とする請求項１に記載の海洋観測ブイ。
【請求項５】
前記ポールを複数備え、前記ポール間で前記補強ケーブルを巻き回す
ことを特徴とする請求項４に記載の海洋観測ブイ。
【請求項６】
前記アレイケーブルを水中に吊り下げるフロートを備えた
ことを特徴とする請求項１、２、３、４または５に記載の海洋観測ブイ。
【発明の詳細な説明】
【技術分野】
【０００１】
本発明は、海洋観測ブイに関し、特に海洋センサを取り付ける補強ケーブル長の調整に関する。
【背景技術】
【０００２】
一般に、水中の観測は１または２以上の海洋センサを水中の所定の深度に吊り下げた海洋観測ブイで行うことができる。所定の深度に吊り下げられた海洋センサをその位置で保つために、海洋センサを多芯ケーブルに取り付けて吊り下げることが多い。この多芯ケーブルは、海洋センサの情報伝達用の信号ケーブルと海洋センサを支持する補強ケーブルとを少なくとも備えている。
海洋センサは、水中音響センサや水温センサ、水流速度センサなどの総称であり、水中の諸状況を検出する。また、補強ケーブルは信号ケーブルを海洋センサ等の荷重から支えるために強度の高いロープやワイヤ等を用いることが多い。この補強ケーブルに海洋センサを取り付けるので、長期間の水中観測に耐えることができる。
この補強ケーブルに海洋センサを取り付けるものの中には、海洋センサに補強ケーブルを結んで取り付けるものがある。そして、補強ケーブルに作る結び目を利用して補強ケーブルの長さを調整し、海洋センサの吊り下げ位置を決定するようになっている。
また、錘や海洋センサ等の荷重で信号ケーブルが断線しないように、補強ケーブルを接続する接続プレートを設けて、それに荷重がかかるようにしたケーブル接続構造が開示されている（例えば、特許文献１参照）。
【０００３】
【特許文献１】実開平５−２５９３１号公報
【発明の開示】
【発明が解決しようとする課題】
【０００４】
海洋センサを補強ケーブルに結んで取り付けるものでは、海洋センサの吊り下げ位置の決定までに何度も結び直すことになり、補強ケーブルの劣化が早いという問題があった。また、その結び目は直径１０ｍｍ程度の小さいものが多く、調整作業に多くの時間と手間がかかっていた。
【０００５】
特許文献１のケーブル接続構造は、接続プレートに設けた２本の支柱に補強ケーブルを交互に交差させて錘や海洋センサ等の荷重が一点に集中しないようにしたものである。
しかしながら、接続プレートで補強ケーブル全体の長さを調整するだけなので、各海洋センサ間における補強ケーブルの長さは調整できなかった。その結果、その接続プレートから垂下する信号ケーブルには補強ケーブルと同様に海洋センサ等の荷重がかかり信号ケーブルが断線してしまうという問題があった。
【０００６】
本発明は、上記の課題を解決するためになされたもので、海洋センサを取り付ける補強ケーブルの長さ調整を簡易かつ正確に実行できるようにした海洋観測ブイを提供するものである。
【課題を解決するための手段】
【０００７】
本発明に係る海洋観測ブイは、水中を観測するための海洋センサと、前記海洋センサを取り付けて水中に吊り下げる複数のケーブルからなるアレイケーブルとを備えた海洋観測ブイであって、前記アレイケーブルは前記海洋センサで観測された情報を伝達するための信号ケーブルと前記海洋センサを支持するための補強ケーブルとを備えたものにおいて、前記補強ケーブルを巻き付ける補強ケーブル巻き付け部を前記海洋センサに設けたことを特徴とする。
【発明の効果】
【０００８】
本発明に係る海洋観測ブイによれば、補強ケーブルを補強ケーブル巻き付け部に巻き付けるだけの作業で海洋センサを支持しかつ補強ケーブルの長さを調整できるので、信号ケーブルに大きな荷重負荷を与えることなく、迅速かつ正確に補強ケーブルの所定の位置に海洋センサを取り付けることが可能になる。
また、補強ケーブルに海洋センサを結びつける作業がなくなるので、補強ケーブルを結び直すという手間が大きく軽減でき、作業効率が向上する。さらに、結び直しを繰り返す作業から生じる補強ケーブルの劣化を防止できるので、補強ケーブルが突然断線するような可能性が低減する。
【発明を実施するための最良の形態】
【０００９】
以下、本発明に係る実施の形態を図面に基づいて説明する。
図１は、本発明に係る海洋観測ブイの概要構成を示す側面図である。図２は、本発明に係る海洋観測ブイを構成するアレイケーブル４と海洋センサ２との接続状態を示す説明図である。図１、図２において本発明に係る海洋観測ブイの構成について説明する。
海洋観測ブイは、フロート１と海洋センサ２と錘３とアレイケーブル４とで構成されている。フロート１は上端面を海面上に浮上させて浮遊し、下面側から水中にアレイケーブル４を吊り下げる機能を果たす。
海洋センサ２は、水中の音響や水温、水流の速度等の水中の諸状況を観測する複数個の観測センサ２ａ、２ｂ、２ｃの総称であり、所定の深度に吊り下げられるように設定されてフロート１から吊り下げられたアレイケーブル４に取り付けられている。
錘３は、アレイケーブル４の終端に取り付けられており、フロート１から吊り下げられたアレイケーブル４を水中に垂直に展張させる機能を果たす。
【００１０】
アレイケーブル４は、信号ケーブル７、８、９と補強ケーブル６とを少なくとも備え、化学繊維の合成繊維等で編み込んだ編み込み部５内にそれらのケーブルを束ねて組み込んだ構造をしている。この編み込み部５は、組み込んだケーブル類がスライドしたり動いたりしないように強く編み込まれている。ここで化学繊維の合成繊維は、ポリエステルやレーヨン、ナイロンなどを用いるとよい。
また、この編み込み部５は、アレイケーブル４に取り付ける海洋センサ２の個数に応じて分断され、その分断されている部分から各ケーブルを露出させて海洋センサ２を取り付けるようになっている。ここでは、３個の海洋センサ２（観測センサ２ａ、２ｂ、２ｃ）を取り付けた場合の例を示している。
信号ケーブル７、８、９は、観測センサ２ａ、２ｂ、２ｃで観測された諸情報をフロート１に伝達する機能を果たす。補強ケーブル６は、信号ケーブル７、８、９を観測センサ２ａ、２ｂ、２ｃと錘３との荷重から支える機能を果たす。ここで補強ケーブル６は、強度の高いロープやワイヤ、ケプラなどを用いるとよい。
【００１１】
次に図２において、本発明に係る海洋観測ブイのアレイケーブル４と海洋センサ２との接続状態について説明する。
ここでは、観測センサ２ａと信号ケーブル７、観測センサ２ｂと信号ケーブル８、観測センサ２ｃと信号ケーブル９とがそれぞれ電気的に接続している。そして、これらの観測センサ２ａ、２ｂ、２ｃは、所定の深度になるように調整されて補強ケーブル６に取り付けられる。
【００１２】
これらの観測センサ２ａ、２ｂ、２ｃは、補強ケーブル巻き付け部である突起部１５を備えてそれに補強ケーブル６を巻き付けることで取り付けられるようになっている。また、信号ケーブル７、８、９に大きな荷重がかかると断線する可能性があるため、信号ケーブル７、８、９に観測センサ２ａ、２ｂ、２ｃと錘３との荷重がかからないように補強ケーブル６の長さ調整を行うのが望ましい。
【００１３】
そのために、フロート１から観測センサ２ａまでの間（図２で示すＡの部分）の補強ケーブル６の長さを、Ａの部分の信号ケーブル７の長さよりも短く調整する。そのように調整すると、観測センサ２ａの荷重が補強ケーブル６にかかるので信号ケーブル７の断線を防止できる。
同様に、観測センサ２ａから観測センサ２ｂまでの間（図２で示すＢの部分）の補強ケーブル６の長さを、フロート１から観測センサ２ｂまでの間の信号ケーブル８の長さよりも短く調整する。そのように調整すると、観測センサ２ｂの荷重が補強ケーブル６にかかるので信号ケーブル８の断線を防止できる。
同様に、観測センサ２ｂから観測センサ２ｃまでの間（図２で示すＣの部分）の補強ケーブル６の長さを、フロート１から観測センサ２ｃまでの間の信号ケーブル９の長さよりも短く調整する。そのように調整すると、観測センサ２ｃの荷重が補強ケーブル６にかかるので信号ケーブル９の断線を防止できる。
同様に、観測センサ２ｃから錘３までの間（図２で示すＤの部分）の補強ケーブル６の長さを、Ｄの部分の信号ケーブル９の長さよりも短く調整する。そのように調整すると、錘３の荷重が補強ケーブル６にかかるので信号ケーブル９の断線を防止できる。
【００１４】
最終的に、フロート１から錘３までの間の補強ケーブル６の長さを、フロート１から錘３までの間の全ての信号ケーブル７、８、９の長さよりも短く調整する。そのように調整すると、観測センサ２ａ、２ｂ、２ｃと錘３との荷重のほとんどが補強ケーブル６にかかるので信号ケーブル７、８、９の断線を防止できる。
【００１５】
このように、補強ケーブル６の全体を一括で調整するのではなく、フロート１と観測センサ２ａとの間であるＡの部分、観測センサ２ａと観測センサ２ｂとの間であるＢの部分、観測センサ２ｂと観測センサ２ｃとの間であるＣの部分、観測センサ２ｃと錘３との間であるＤの部分のそれぞれで補強ケーブル６の長さ調整を行い、信号ケーブル７、８、９に観測センサ２ａ、２ｂ、２ｃと錘３との荷重をかけないようにする。
【００１６】
図３は、本発明の実施の形態に係る海洋観測ブイの海洋センサに設けた補強ケーブル巻き付け部を一つの突起部で構成した場合の例を示す海洋センサの説明図である。
以下、突起部１５の構成と作用について説明する。また、観測センサ２ａと信号ケーブル７とは図２で説明したように電気的に接続している。
【００１７】
図２で説明したように、観測センサ２ａの突起部１５に補強ケーブル６を巻き付けるだけで、補強ケーブル６に観測センサ２ａを取り付けることができるようになっている。なお、この突起部１５を回転させて補強ケーブル６を突起部１５に巻き付けて補強ケーブル６の長さを調整し、信号ケーブル７に観測センサ２ａの荷重がかからないようにするとよい。
例えば、突起部１５を左右どちらか一方に回転させることで補強ケーブル６を突起部１５に巻き付けるようにしてもよい。また、突起部１５を他方に回転させることで一旦突起部１５に巻き付けた補強ケーブル６を緩めるようにしてもよい。このようにすれば、突起部１５の回転だけで補強ケーブル６の長さを調整できるので、調整作業を繰り返しても補強ケーブル６が劣化しない。
【００１８】
この突起部１５に補強ケーブル６を巻き付けるだけで観測センサ２ａを取り付け得るので、観測センサ２ａを補強ケーブル６の所定の位置に迅速かつ簡易に取り付けることができる。
なお、突起部１５は、補強ケーブル６にかかる荷重よりも大きな荷重負荷を与えなければ回転しないようにするとよい。そうすれば、一旦巻き付けた補強ケーブル６が自然に緩むことなく長期間安定した水中観測が可能になる。
【００１９】
図４は、本発明の実施の形態に係る海洋観測ブイの海洋センサに設けた補強ケーブル巻き付け部を二つの突起部で構成した場合の例を示す海洋センサの説明図である。
以下、突起部１５ａ、ｂの構成と作用について説明する。また観測センサ２ａと信号ケーブル７とは図２で説明したように電気的に接続している。
【００２０】
ここでは、観測センサ２ａの突起部１５ａ、ｂのそれぞれに補強ケーブル６を巻き回して観測センサ２ａを取り付けるようになっている。そうすると、一つの突起部に補強ケーブル６を巻き付けた場合に比べて、より強固に観測センサ２ａを補強ケーブル６に取り付けることができる。例えば、地震や海底火山の噴火などの突発的で回避不可能な事故が発生した場合に、突起部から補強ケーブル６のすべてが外れてしまう可能性を低くできる。したがって、海洋観測がさらに安定したものになる。
また、突起部１５ａ、ｂの全体で一つの突起部としたように補強ケーブルを巻き回して観測センサ２ａを取り付けても構わない。
【００２１】
実施の形態では、突起部１５、１５ａ、１５ｂを回転させる部分と補強ケーブル６を巻き付ける部分とが突起部１５、１５ａ、１５ｂと一体になっている例について説明したが、それぞれを別の場所に設けても構わない。例えば、突起部１５、１５ａ、１５ｂを回転させる部分をつまみやレバーなどの装置で構成してもよい。
また、実施の形態では、突起部１５を手動で回転させる例を説明したが、電動で回転させるようにしてもよい。電動で回転させるようにする場合は、スイッチやボタンなどを突起部１５とは別に設けて構成するとよい。
【００２２】
図５は、本発明の実施の形態に係る海洋観測ブイの海洋センサに設けた補強ケーブル巻き付け部を１本のポールで構成した場合の例を示す海洋センサの説明図である。
以下、ポール１７の構成と作用について説明する。また、観測センサ２ａと信号ケーブル７とは図２で説明したように電気的に接続している。
【００２３】
ここでは、観測センサ２ａのポール１７に補強ケーブル６を巻き付けるだけで、補強ケーブル６に観測センサ２ａを取り付けることができるようになっている。また、このポール１７に補強ケーブル６を巻き付けて補強ケーブル６の長さを調整し、信号ケーブル７に観測センサ２ａの荷重がかからないようにしている。このポール１７には、補強ケーブル６を食い込ませるような溝を作って一旦巻き付けた補強ケーブル６が動かないような構成にするとよい。
【００２４】
ここでの補強ケーブル６の長さ調整は、ポール１７に補強ケーブル６を直接巻き付けることで行うようになっている。そのように調整するので、補強ケーブル６を手で結ぶというような手間がかからず、観測センサ２ａを所定の位置に迅速かつ簡易に取り付けることができる。補強ケーブル６を直接扱うものの、補強ケーブル６を何度も結び直すようなことはないので、補強ケーブル６の長さ調整の繰り返しによる補強ケーブル６の劣化を軽減できる。
ポール１７に巻き付けた補強ケーブル６は、補強ケーブル６にかかる荷重よりも大きな荷重負荷を与えなければ動かないようするとよい。そうすれば、一旦ポール１７に巻き付けた補強ケーブル６が自然に緩むことなく長期間安定した水中観測が可能になる。
【００２５】
図６は、本発明の実施の形態に係る海洋観測ブイの海洋センサに設けた補強ケーブル巻き付け部を２本のポールで構成した場合の例を示す海洋センサの説明図である。
以下、ポール１７ａ、ｂの構成と作用について説明する。また観測センサ２ａと信号ケーブル７とは図２で説明したように電気的に接続している。
ここでは、観測センサ２ａのポール１７ａとポール１７ｂとに補強ケーブル６を巻き回して観測センサ２ａを取り付けるようになっている。このように、複数のポールで補強ケーブル６を巻き回して観測センサ２ａを支持しかつ補強ケーブル６の長さを調整してもよい。
図７に示すように、ポール１７ａとポール１７ｂとの間で補強ケーブル６を交互に交差させるように巻き回すと、１本のポール１７に補強ケーブル６を巻き付けるよりも、より強固に観測センサ２ａを補強ケーブル６に取り付けることができる。したがって、海洋観測がさらに安定したものになる。  
【００２６】
なお、ポール１７に巻き付けた補強ケーブル６を固定するようになっていれば、ポール１７はどのような形態であっても構わない。例えば、ポール１７を伸縮可能なもので構成し、補強ケーブル６を巻き付けた後に観測センサ２ａ内に収納し補強ケーブル６を固定するようにしてもよい。
【００２７】
実施の形態では、フロート１を備えた海洋観測ブイを例に説明したが、フロート１は必ずしも必要のものではない。例えば、海洋センサ２を取り付けたアレイケーブル４を船やボートなどから吊り下げるような構成とした場合にも、本発明の海洋観測ブイが使用できる。
【図面の簡単な説明】
【００２８】
【図１】本発明の実施の形態に係る海洋観測ブイの概要構成を示す側面図である。
【図２】本発明の実施の形態に係るアレイケーブルと海洋センサとの接続状態を示す説明図である。
【図３】海洋センサに一つの突起部を備えた場合の例を示す説明図である。
【図４】海洋センサに二つの突起部を備えた場合の例を示す説明図である。
【図５】海洋センサに１本のポールを備えた場合の例を示す説明図である。
【図６】海洋センサに２本のポールを備えた場合の例を示す説明図である。
【図７】海洋センサに２本のポールを備えた場合の他の例を示す説明図である。
【符号の説明】
【００２９】
１  フロート、２  海洋センサ、２ａ  観測センサ、２ｂ  観測センサ、２ｃ  観測センサ、３  錘、４  アレイケーブル、５  編み込み部、６  補強ケーブル、７  信号ケーブル、８  信号ケーブル、９  信号ケーブル、１５  突起部、１５ａ  突起部、１５ｂ  突起部、１７  ポール、１７ａ  ポール、１７ｂ  ポール
【図１】
2006117137.tif 000003
【図２】
2006117137.tif 000004
【図３】
2006117137.tif 000005
【図４】
2006117137.tif 000006
【図５】
2006117137.tif 000007
【図６】
2006117137.tif 000008
【図７】
2006117137.tif 000009